【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
ネットワークを介して接続されている外部の医用情報装置のサービスに供給するために指定された医用画像及び該医用画像に関連する患者情報及び検査情報を含む付帯情報を有する画像データを出力する医用通信管理装置であって、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記取得された入力項目に該当する項目内容を入力するための入力画面を表示部に表示させ、その後該項目内容を受け付ける表示制御手段と、
前記入力を受けた入力項目の項目内容を前記画像データとともに前記医用情報装置に出力する出力手段と、
を備えることを特徴とする医用通信管理装置。
【請求項２】
患者のＩＤを含む項目とそれに対応する情報で構成される検査オーダ情報を記憶しているオーダ情報記憶手段と、
前記オーダ情報記憶手段を検索し前記識別された入力項目に該当する項目があった場合は該項目に対応する情報を取得し、前記項目内容として前記表示制御手段及び前記出力手段へ出力する情報取得手段と、
を備えることを特徴とする請求項１の医用通信管理装置。
【請求項３】
前記表示制御手段は、
前記項目内容を入力するための入力画面のフォーマットを記憶しているフォーマット記憶手段と、
前記フォーマットを基に、前記取得した入力項目に対応する情報が前記オーダ情報記憶手段に存在しない項目を前記入力画面の必須の入力項目として前記入力画面を表示部に表示させる入力画面表示手段と、
を備えることを特徴とする請求項２に記載の医用通信管理装置。
【請求項４】
前記必須の入力項目のうち前記検査オーダ情報に対応する情報が存在しない項目が存在した場合に警告を通知する警告手段をさらに備えたことを特徴とする請求項３に記載の医用通信管理装置。
【請求項５】
前記入力項目のうち対応する情報が前記検査オーダ情報に存在しない項目を抽出し、前記検査オーダ情報の入力時に前記抽出した項目を入力必須項目として表示させるオーダ情報入力制御手段をさらに備えたことを特徴とする請求項２乃至請求項４のいずれか一つに記載の医用通信管理装置。
【請求項６】
医用情報装置と、患者のＩＤを含む項目とそれに対応する情報で構成される検査オーダ情報を予め記憶している外部のオーダ情報記憶装置とにネットワークを介して相互に接続されており、前記医用情報装置のサービスに供給するために指定された医用画像並びに該医用画像に関連する患者情報及び検査情報を含む付帯情報を有する画像データを出力する医用画像診断装置であって、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記オーダ情報記憶装置を検索し前記取得された入力項目に該当する項目に対応する情報を取得する情報取得手段と、
前記取得された入力項目のうち対応する情報が前記オーダ情報記憶手段に存在しない項目の項目内容を入力するための入力画面を表示部に表示させ、その後その項目内容を受け付ける表示制御手段と、
前記オーダ情報記憶装置から取得した項目の情報及び前記入力を受けた項目内容を前記画像データとともに前記医用情報装置に出力する出力手段と、
を備えることを特徴とする医用画像診断装置。
【請求項７】
前記オーダ情報記憶装置から検査オーダ情報に登録する項目の通知要求を受けて、前記入力項目のうち対応する情報が前記オーダ情報記憶装置に存在しない項目を加えて前記登録する項目を通知する情報項目通知手段をさらに備えたことを特徴とする請求項６に記載の医用画像診断装置。
【請求項８】
医用情報装置と、患者のＩＤを含む項目とそれに対応する情報で構成される検査オーダ情報を予め記憶しているオーダ情報記憶装置と、前記医用情報装置のサービスに供給するために指定された医用画像並びに該医用画像に関連する患者情報及び検査情報を含む付帯情報を有する画像データを出力する医用画像診断装置とが相互に接続されている医療画像管理システムであって、
前記医用画像診断装置は、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記医用情報装置が利用するデータに対応する入力項目を取得する入力項目識別手段と、
前記取得した入力項目を基に前記オーダ情報記憶装置を検索し、該入力項目に対応する情報を取得する情報取得手段と、
前記取得された入力項目のうち前記オーダ情報記憶装置に対応する項目内容が存在しない入力項目を入力するための入力画面を表示部に表示させ、その後該項目内容を受け付ける表示制御手段と、
前記オーダ情報記憶装置から取得した前記入力項目の項目内容及び前記入力を受けた入力項目の項目内容を前記画像データとともに前記医用情報装置に出力する出力手段と、
を備えることを特徴とする医用通信管理システム。
【請求項９】
医用情報装置と、患者のＩＤを含む項目とそれに対応する情報で構成される検査オーダ情報を予め記憶しているオーダ情報記憶装置と、前記医用情報装置のサービスに供給するために指定された医用画像並びに該医用画像に関連する患者情報及び検査情報を含む付帯情報を有する画像データを出力する医用画像診断装置とが相互に接続されている医用通信管理システムであって、
前記医用画像診断装置は、
前記画像データを管理する画像データ管理手段と、
前記医用情報装置の識別情報と該医用情報装置が実施するサービスとの対応を表したサービス識別情報を記憶しているサービス記憶手段と、
前記医用情報装置の識別情報の入力を受けて前記サービス識別情報を参照し、該医用情報装置が実施するサービスを選択するサービス選択手段と、
前記選択したサービスで該医用情報装置が使用するデータを指定したデータ処理仕様を該医用情報装置から取得するデータ処理仕様取得手段と、
前記データ処理仕様で指定されるデータと患者情報及び検査情報を含む入力画面の入力項目との対応関係を表すデータ入力項目対応情報を予め記憶している項目対応情報記憶手段と、
前記取得したデータ処理仕様を基に前記データ入力項目対応情報を参照し、前記通信を行う医用情報装置が利用するデータに対応する入力項目を取得する入力項目識別手段と、
前記オーダ情報記憶装置を検索し前記取得された入力項目に該当する項目に対応する情報があった場合には該項目に対応する情報を取得する情報取得手段と、
前記入力項目のうち対応する情報が前記オーダ情報記憶手段に存在しない項目の項目内容を入力するための入力画面を表示部に表示させ、その後その入力内容を受け付ける表示制御手段と、
前記オーダ情報記憶装置から取得した項目の情報及び前記入力を受けた項目内容を前記画像データとともに前記医用情報装置に出力する出力手段と、
前記オーダ情報記憶装置から検査オーダ情報に登録する項目の通知要求を受けて、前記入力項目のうち対応する情報が前記オーダ情報記憶装置に存在しない項目を加えて前記登録する項目を通知する項目通知手段とを備え、
前記オーダ情報記憶装置は、
前記医用画像診断装置から検査オーダ情報に登録する項目を取得する項目取得手段と、
前記取得した項目を入力項目として含む検査オーダ情報の入力画面を表示手段に表示させる検査オーダ入力画面表示制御手段と、
入力を受けて検査オーダ情報を記憶するオーダ情報記憶手段と、
前記医用画像診断装置からの前記入力項目の通知要求を基に前記オーダ情報記憶手段を検索し、前記入力項目に該当する項目に対応する情報を前記医用画像診断装置へ供給する情報供給手段と、
を備えることを特徴とする医用通信管理システム。
【手続補正２】
【補正対象書類名】明細書
【補正対象項目名】０００９
【補正方法】変更
【補正の内容】
【０００９】
上記目的を達成するために、請求項１に記載の医用通信管理装置は、ネットワークを介して接続されている外部の医用情報装置のサービスに供給するために指定された医用画像及び該医用画像に関連する患者情報及び検査情報を含む付帯情報を有する画像データを出力する医用通信管理装置であって、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記取得された入力項目に該当する項目内容を入力するための入力画面を表示部に表示させ、その後該項目内容を受け付ける表示制御手段と、前記入力を受けた入力項目の項目内容を前記画像データとともに前記医用情報装置に出力する出力手段と、を備えることを特徴とするものである。
【手続補正３】
【補正対象書類名】明細書
【補正対象項目名】００１０
【補正方法】変更
【補正の内容】
【００１０】
請求項６に記載の医用画像診断装置は、医用情報装置と、患者のＩＤを含む項目とそれに対応する情報で構成される検査オーダ情報を予め記憶している外部のオーダ情報記憶装置とにネットワークを介して相互に接続されており、前記医用情報装置のサービスに供給するために指定された医用画像並びに該医用画像に関連する患者情報及び検査情報を含む付帯情報を有する画像データを出力する医用画像診断装置であって、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記オーダ情報記憶装置を検索し前記取得された入力項目に該当する項目に対応する情報を取得する情報取得手段と、前記取得された入力項目のうち対応する情報が前記オーダ情報記憶手段に存在しない項目の項目内容を入力するための入力画面を表示部に表示させ、その後その項目内容を受け付ける表示制御手段と、前記オーダ情報記憶装置から取得した項目の情報及び前記入力を受けた項目内容を前記画像データとともに前記医用情報装置に出力する出力手段と、を備えることを特徴とするものである。
【手続補正４】
【補正対象書類名】明細書
【補正対象項目名】００１１
【補正方法】変更
【補正の内容】
【００１１】
請求項８に記載の医用通信管理システムは、医用情報装置と、患者のＩＤを含む項目とそれに対応する情報で構成される検査オーダ情報を予め記憶しているオーダ情報記憶装置と、前記医用情報装置のサービスに供給するために指定された医用画像並びに該医用画像に関連する患者情報及び検査情報を含む付帯情報を有する画像データを出力する医用画像診断装置とが相互に接続されている医療画像管理システムであって、前記医用画像診断装置は、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記医用情報装置が利用するデータに対応する入力項目を取得する入力項目識別手段と、前記取得した入力項目を基に前記オーダ情報記憶装置を検索し、該入力項目に対応する情報を取得する情報取得手段と、前記取得された入力項目のうち前記オーダ情報記憶装置に対応する項目内容が存在しない入力項目を入力するための入力画面を表示部に表示させ、その後該項目内容を受け付ける表示制御手段と、前記オーダ情報記憶装置から取得した前記入力項目の項目内容及び前記入力を受けた入力項目の項目内容を前記画像データとともに前記医用情報装置に出力する出力手段と、を備えることを特徴とするものである。
【手続補正５】
【補正対象書類名】明細書
【補正対象項目名】００１２
【補正方法】変更
【補正の内容】
【００１２】
請求項９に記載の医用通信管理システムは、医用情報装置と、患者のＩＤを含む項目とそれに対応する情報で構成される検査オーダ情報を予め記憶しているオーダ情報記憶装置と、前記医用情報装置のサービスに供給するために指定された医用画像並びに該医用画像に関連する患者情報及び検査情報を含む付帯情報を有する画像データを出力する医用画像診断装置とが相互に接続されている医用通信管理システムであって、前記医用画像診断装置は、前記画像データを管理する画像データ管理手段と、前記医用情報装置の識別情報と該医用情報装置が実施するサービスとの対応を表したサービス識別情報を記憶しているサービス記憶手段と、前記医用情報装置の識別情報の入力を受けて前記サービス識別情報を参照し、該医用情報装置が実施するサービスを選択するサービス選択手段と、前記選択したサービスで該医用情報装置が使用するデータを指定したデータ処理仕様を該医用情報装置から取得するデータ処理仕様取得手段と、前記データ処理仕様で指定されるデータと患者情報及び検査情報を含む入力画面の入力項目との対応関係を表すデータ入力項目対応情報を予め記憶している項目対応情報記憶手段と、前記取得したデータ処理仕様を基に前記データ入力項目対応情報を参照し、前記通信を行う医用情報装置が利用するデータに対応する入力項目を取得する入力項目識別手段と、前記オーダ情報記憶装置を検索し前記取得された入力項目に該当する項目に対応する情報があった場合には該項目に対応する情報を取得する情報取得手段と、前記入力項目のうち対応する情報が前記オーダ情報記憶手段に存在しない項目の項目内容を入力するための入力画面を表示部に表示させ、その後その入力内容を受け付ける表示制御手段と、前記オーダ情報記憶装置から取得した項目の情報及び前記入力を受けた項目内容を前記画像データとともに前記医用情報装置に出力する出力手段と、前記オーダ情報記憶装置から検査オーダ情報に登録する項目の通知要求を受けて、前記入力項目のうち対応する情報が前記オーダ情報記憶装置に存在しない項目を加えて前記登録する項目を通知する項目通知手段とを備え、前記オーダ情報記憶装置は、前記医用画像診断装置から検査オーダ情報に登録する項目を取得する項目取得手段と、前記取得した項目を入力項目として含む検査オーダ情報の入力画面を表示手段に表示させる検査オーダ入力画面表示制御手段と、入力を受けて検査オーダ情報を記憶するオーダ情報記憶手段と、前記医用画像診断装置からの前記入力項目の通知要求を基に前記オーダ情報記憶手段を検索し、前記入力項目に該当する項目に対応する情報を前記医用画像診断装置へ供給する情報供給手段と、を備えることを特徴とするものである。